(57)【特許請求の範囲】
【請求項１】
遊技盤の前面に沿って平行に延びる１対の直動ガイドと、
前記１対の直動ガイドのそれぞれにスライド係合した１対の直動部材の間に可動装飾部を差し渡してなる複数の可動部材と、
各前記可動部材の前記可動装飾部と各前記直動部材との間に設けられ、前記直動部材に対して前記可動装飾部を前後方向に延びる回転軸を中心として回動可能に連結する回転連結部とを備え、前記可動部材同士が移動方向で近接した合体状態で移動可能な遊技機において、
各前記直動部材は、前記直動ガイドから離れた位置で前記直動ガイドに沿って延びるリフト部の基端部からガイド挿通部が屈曲した構造をなして、前記ガイド挿通部が前記直動ガイドにスライド係合すると共に前記リフト部の先端部に前記回転連結部が配置され、
共通の前記直動ガイド上で前記直動部材同士が重なったときに、一方の前記直動部材の前記ガイド挿通部と前記回転連結部との間に、他方の前記直動部材の前記ガイド挿通部が収まる遊技機。
【請求項２】
前記直動ガイドの一端側に位置する前記複数の可動部材を前方から覆う前側カバーを備え、各前記直動部材の前記リフト部は、前記ガイド挿通部から前記前側カバー側に延びている請求項１に記載の遊技機。
【請求項３】
前記１対の直動ガイドは、上下方向に延在し、
前記可動部材の数は２つであって、そのうち、下側に配置される前記可動部材は駆動源によって駆動され、上側に配置される前記可動部材は自由落下可能に構成されている請求項１又は２に記載の遊技機。
【発明の詳細な説明】
【技術分野】
【０００１】
本発明は、遊技盤の前面に沿って移動する可動装飾部を備えた遊技機に関する。
【背景技術】
【０００２】
従来、この種の遊技機として、遊技盤の前面に沿って平行に延びる１対の直動ガイドを有し、可動装飾部の両端部に、１対の直動ガイドのそれぞれに沿って直動する１対の直動部材が固定されているものが知られている（例えば、特許文献１参照）。
【先行技術文献】
【特許文献】
【０００３】
【特許文献１】特開２０１１−２２４１９３号公報（図１８）
【発明の概要】
【発明が解決しようとする課題】
【０００４】
しかしながら、上述した従来の遊技機では、１対の直動部材の移動速度がズレると、可動装飾部のスムーズな移動が困難となり、例えば、可動装飾部の動きが止まるといった動作不良を起こすことがあった。
【０００５】
本発明は、上記事情に鑑みてなされたもので、可動装飾部の動作不良を抑制することが可能な遊技機の提供を目的とする。
【課題を解決するための手段】
【０００６】
上記目的を達成するためになされた請求項１の発明は、遊技盤の前面に沿って平行に延びる１対の直動ガイドと、前記１対の直動ガイドのそれぞれにスライド係合した１対の直動部材の間に可動装飾部を差し渡してなる複数の可動部材と、各前記可動部材の前記可動装飾部と各前記直動部材との間に設けられ、前記直動部材に対して前記可動装飾部を前後方向に延びる回転軸を中心として回動可能に連結する回転連結部とを備え、前記可動部材同士が移動方向で近接した合体状態で移動可能な遊技機において、各前記直動部材は、前記直動ガイドから離れた位置で前記直動ガイドに沿って延びるリフト部の基端部からガイド挿通部が屈曲した構造をなして、前記ガイド挿通部が前記直動ガイドにスライド係合すると共に前記リフト部の先端部に前記回転連結部が配置され、共通の前記直動ガイド上で前記直動部材同士が重なったときに、一方の前記直動部材の前記ガイド挿通部と前記回転連結部との間に、他方の前記直動部材の前記ガイド挿通部が収まる遊技機である。
請求項２の発明は、前記直動ガイドの一端側に位置する前記複数の可動部材を前方から覆う前側カバーを備え、各前記直動部材の前記リフト部は、前記ガイド挿通部から前記前側カバー側に延びている請求項１に記載の遊技機である。
請求項３の発明は、前記１対の直動ガイドは、上下方向に延在し、前記可動部材の数は２つであって、そのうち、下側に配置される前記可動部材は駆動源によって駆動され、上側に配置される前記可動部材は自由落下可能に構成されている請求項１又は２に記載の遊技機である。
【発明の効果】
【０００７】
本発明によれば、可動装飾部と各直動部材との間に設けられた回転連結部によって、可動装飾部が、直動部材に対して前後方向に延びる回転軸を中心に回転可能となっているので、１対の直動部材の移動速度がズレた場合であっても、そのズレ分を、可動装飾部が直動部材に対して傾くことによって吸収することが可能となる。これにより、直動部材をスムーズに移動させることが可能となり、可動装飾部の動作不良を抑制することが可能となる。
【０００９】
請求項３の発明によれば、駆動源により駆動される可動部材と、自由落下可能な可動部材の両方をスムーズに移動させることが可能となり、１対の可動部材の両方について動作不良を抑制することが可能となる。また、自由落下可能な可動部材は、駆動源により駆動される可動部材よりも上側に配置されるので、駆動源により駆動される可動部材によって自由落下可能に構成された可動部材を、落下後の位置から落下前の位置へ復元することが可能となる。
【図面の簡単な説明】
【００１０】
【図１】本発明の一実施形態に係る遊技機の正面図
【図２】遊技盤の正面図
【図３】第１可動部材が第１待機位置に、第２可動部材が第２待機位置に配置された状態の機構枠の正面図
【図４】第１可動部材が第１演出位置に、第２可動部材が第２待機位置に配置された状態の機構枠の正面図
【図５】第１可動部材が第１演出位置に、第２可動部材が第２演出位置に配置された状態の機構枠の正面図
【図６】第１可動部材及び第２可動部材の斜視図
【図７】第１可動部材の前面側斜視図
【図８】第１可動部材の背面側斜視図
【図９】第１可動部材の拡大斜視図
【図１０】第２可動部材の前面側斜視図
【図１１】第２可動部材の背面側斜視図
【図１２】第２可動部材の拡大斜視図
【図１３】（Ａ）第１可動部材が第１待機位置に配置された状態の平断面図、（Ｂ）第１可動部材が第１待機位置へ復帰する途中の平断面図
【図１４】第１可動部材及び第２可動部材の正面図
【図１５】第１可動部材及び第２可動部材の平断面図
【図１６】（Ａ）受止位置に配置された状態の受止部材の平面図、（Ｂ）受止解除位置に配置された状態の受止部材の平面図
【図１７】表示装飾枠の背面側斜視図
【図１８】（Ａ）受止位置に配置された状態の受止部材と第２可動部材の側断面図、（Ｂ）受止解除位置に配置された状態の受止部材と第２可動部材の側断面図
【図１９】（Ａ）受止解除位置側に押圧されている状態の受止部材と第２可動部材の側断面図、（Ｂ）受止位置に復帰した状態の受止部材と第２可動部材の側断面図
【発明を実施するための形態】
【００１１】
以下、本発明をパチンコ遊技機に適用した一実施形態を、図１〜図１９に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００１２】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１（図２参照）に向けて弾き出される。
【００１３】
図２に示すように、遊技盤１１の前面からは、遊技領域Ｒ１を包囲するガイドレール１２が突出している。ガイドレール１２は、遊技盤１１の外縁部を周回するように配置されている。
【００１４】
遊技盤１１のうち遊技領域Ｒ１の中央には、表示開口１１Ｈが貫通形成されており、その表示開口１１Ｈに後側から表示装置１３が対向している。表示装置１３は、例えば、液晶モジュールで構成され、その前面が遊技に関する演出を行う表示画面１３Ｇとなっている。なお、詳細には、表示画面１３Ｇは、機構枠１７（図３参照）の後側から機構枠１７の開口部１７Ｋと遊技盤１１の表示開口１１Ｈを通して遊技者に視認可能となっている。
【００１５】
遊技盤１１の前面中央には、前方から見て表示画面１３Ｇを囲むように表示装飾枠２３が取り付けられている。表示装飾枠２３は、遊技盤１１の前面側から表示開口１１Ｈに嵌め込まれ、表示開口１１Ｈの内側に張り出すと共に遊技盤１１の前面から突出している。そして、遊技領域Ｒ１を流下する遊技球が、表示装飾枠２３の前側を通過して表示装飾枠２３の内側に進入しないように構成されている。
【００１６】
遊技領域Ｒ１には、表示装飾枠２３の下方で横方向の中央に第１の始動入賞口１４Ａが設けられると共に、表示装飾枠２３の右下角部に第２の始動入賞口１４Ｂが設けられている。また、遊技領域Ｒ１のうち、第１の始動入賞口１４Ａの左側に複数の一般入賞口２０、右側に第１及び第２の大入賞口１５Ａ，１５Ｂ、下側にアウト口１６が設けられている。さらに、第１の大入賞口１５Ａの右側には、サイド入賞口２１が備えられると共に、表示装飾枠２３の右側には始動ゲート１８が備えられる一方、左側方には風車１９が備えられている。
【００１７】
第１の始動入賞口１４Ａは、上側に開放したポケット構造になっている一方、第２の始動入賞口１４Ｂは、側方に開放し、開閉扉１４Ｔにより開閉される。開閉扉１４Ｔは、通常は、第２の始動入賞口１４Ｂを閉塞する閉位置に配置され、始動ゲート１８を遊技球が通過したときに行われる普通図柄当否判定で当りとなったことを起因にして、第２の始動入賞口１４Ｂを開放する開位置に配置される。第１と第２の始動入賞口１４Ａ，１４Ｂの何れかに遊技球が入球（入賞）すると、特別図柄当否判定が行われる。特別図柄当否判定の判定結果は、表示装置１３の表示画面１３Ｇにて報知される。特別図柄当否判定の結果が当りとなると、大当り遊技状態となり、次述する大当り遊技が実行される。一方、特別図柄当否判定の結果が外れであると、通常の遊技状態が続く。
【００１８】
第１及び第２の大入賞口１５Ａ，１５Ｂは、横長矩形状をなし、通常の遊技状態では、可動扉１５Ｔにてそれぞれ閉塞されている。そして、遊技状態が大当り遊技状態となって大当り遊技が実行されると、何れか一方の可動扉１５Ｔが所定期間に亘って前側に倒される。すると、第１及び第２の大入賞口１５Ａ，１５Ｂの何れか一方が前方に開放し、可動扉１５Ｔを案内にして大入賞口１５Ａ，１５Ｂに多くの遊技球が入賞可能となる。
【００１９】
図３に示すように、本実施形態の遊技機１０は、上述した入賞口１４Ａ，１４Ｂ，１５Ａ，１５Ｂや表示装置１３等のほかに、可動部材の動作により遊技に関する演出を行う第１可動役物装置１１０Ｓと第２可動役物装置２１０Ｓを機構枠１７に固定して備えている。第１可動役物装置１１０Ｓは、第１可動部材１１０を上下方向に移動させて、図３に示す第１待機位置と図４に示す第１演出位置とに配置する。また、第２可動役物装置２１０Ｓは、自由落下可能な第２可動部材２１０を有している。第２可動部材２１０は、第１可動部材１１０の上側に位置し、第１待機位置の第１可動部材１１０と合体する第２待機位置（図３参照）と、第１演出位置の第１可動部材１１０と合体する第２演出位置（図５参照）と、に配置される。以下、第１可動役物装置１１０Ｓ及び第２可動役物装置２１０Ｓについて詳説する。なお、図３〜図５には、第２可動部材２１０がグレー表示にて示されている。
【００２０】
図３に示すように、第１可動役物装置１１０Ｓは、上下方向に直線状に延びた１対の直動ガイド１２０，１２０を横方向に間隔をあけて備えると共に、それら１対の直動ガイド１２０，１２０に第１可動部材１１０を差し渡して備えている。具体的には、第１可動部材１１０は、各直動ガイド１２０に沿って直動する第１直動部材１３０と、１対の第１直動部材１３０，１３０の間を連絡する第１可動装飾部１５０と、で構成されている。なお、１対の直動ガイド１２０，１２０は、表示画面１３Ｇを左右方向に挟むように機構枠１７の左右の辺部に固定され、遊技盤１１及び表示装飾枠２３（図２参照）の後側に隠れるように配置されている。
【００２１】
図７及び図８に示すように、各直動ガイド１２０は、上下方向に延びる案内シャフト１２１を、対をなして備え、第１直動部材１３０は、１対の案内シャフト１２１，１２１の両方に挿通されている。図９に示すように、１対の案内シャフト１２１，１２１のうち一方の案内シャフト１２１における軸方向の両側には、１対のプーリ１２２，１２２が備えられていて（図９には、一方のプーリ１２２のみが示されている。）、それら１対のプーリ１２２，１２２にベルト１２３が架け渡されている。ベルト１２３は、歯付きの構造になっていて、そのベルト１２３の歯に第１直動部材１３０が係合している。そして、直動駆動源１２４（図３参照）からの動力を受けてベルト１２３が回転することにより、第１直動部材１３０が上下動し、第１可動部材１１０が直動ガイド１２０に沿って移動するようになっている。なお、本実施形態の例では、機構枠１７の左辺部１７Ｌに固定される直動ガイド１２０においては、１対の案内シャフト１２１，１２１が横方向に並べて配置され、機構枠１７の右辺部１７Ｒに固定される直動ガイド１２０においては、１対の案内シャフト１２１，１２１が前後方向に並べて配置されている。
【００２２】
詳細には、図３に示すように、機構枠１７の左右両辺部１７Ｌ，１７Ｒには、直動ガイド１２０（１対の案内シャフト１２１，１２１）と、１対のプーリ１２２，１２２と、ベルト１２３と、直動駆動源１２４と、をケース１６０Ｋに収容して備える直動駆動ユニット１６０が組み付けられている。図６に示すように、ケース１６０Ｋは、１対の案内シャフト１２１，１２１をそれらの並び方向と垂直な方向で挟むように配置される１対のカバー壁１６１，１６１と、それら１対のカバー壁１６１，１６１を連絡する連絡壁１６２と、を備えている。なお、図示はしないが、直動駆動ユニット１６０には、１対の案内シャフト１２１，１２１を支持するシャフト支持部と、１対のプーリ１２２，１２２を回転可能に支持するプーリ支持部と、が備えられている。また、図３〜図５には、左辺部１７Ｌに備えた直動駆動ユニット１６０において、一方のカバー壁１６１のみ示されている。
【００２３】
図７及び図８に示すように、各第１直動部材１３０は、１対の案内シャフト１２１，１２１に架け渡されるように配置され且つ各案内シャフト１２１を挿通させる挿通孔１３１Ａを有したシャフト挿通部１３１と、シャフト挿通部１３１から側方に張り出して上方へ延びたリフト部１３２と、で構成されている。詳細には、リフト部１３２は、１対の第１直動部材１３０，１３０の対向方向で互いに近づく側（即ち、左右方向の中央側）に突出している。なお、シャフト挿通部１３１には、上述したベルト１２３の歯と係合するラック１３３が形成されている。
【００２４】
各第１直動部材１３０におけるリフト部１３２の上端部には、第１可動装飾部１５０が回転自在に連結している。具体的には、図９に示すように、リフト部１３２の上端部と第１可動装飾部１５０の側部のそれぞれには、図示しないピン挿通孔が形成されていて、それら２つのピン挿通孔に、ブッシュ１４１を介して連結ピン１４２が挿通されている。連結ピン１４２は、連結ピン１４２の後端部に形成されたフランジ１４２Ｆ（図８参照）と、連結ピン１４２の前端部と係合する抜止部材１４３と、によって、２つのピン挿通孔を挿通した状態に保持されている。そして、図示しない２つのピン挿通孔と、ブッシュ１４１と、連結ピン１４２と、抜止部材１４３と、から、第１直動部材１３０に対して第１可動装飾部１５０を、前後方向に延びる回転軸を中心として回転可能に連結する第１回転連結部１４０が構成されている。
【００２５】
図７及び図８に示すように、第１可動装飾部１５０は、横長のベース部１５１と、ベース部１５１の中央部に前側から重ねられ、ベース部１５１に対して遊技盤１１と平行な面内で回転する回転体１５４と、で構成されている。回転体１５４は、正面視楕円形状をなし、その楕円の中心軸回りに回転する。また、回転体１５４は、停止状態において、楕円の長軸が左右方向を向くように配置される。ベース部１５１は、回転体１５４を回転可能に支持する中央支持部１５２と、中央支持部１５２の両側部から側方に張り出して第１直動部材１３０（詳細には、リフト部１３２）と連結する側方張出部１５３，１５３と、からなる。中央支持部１５２は、停止状態における回転体１５４と略同じ横長の楕円状をなし、中央支持部１５２の後部には、回転体１５４を回転駆動するための回転駆動源１５５が備えられている。
【００２６】
第１可動役物装置１１０Ｓの構成に関する説明は以上である。次に、第１可動役物装置１１０Ｓにおける第１可動部材１１０の動作について説明する。
【００２７】
第１可動役物装置１１０Ｓは、通常は、第１待機位置（図３参照）に第１可動部材１１０を配置する。図２に示すように、第１待機位置の第１可動部材１１０は、表示装飾枠２３の上辺部から下側にはみ出し、第１可動部材１１０の下側部分のみが遊技者に視認可能となっている。この状態で所定の第１演出条件が成立すると、第１可動役物装置１１０Ｓは、直動駆動源１２４，１２４を作動させて、第１可動部材１１０を第１演出位置（図４参照）へと移動させる。第１演出位置の第１可動部材１１０は、表示画面１３Ｇの中央部前方に配置され、第１可動部材１１０の全体が遊技者に視認可能となる。そして、所定の第１演出終了条件が成立すると、第１可動役物装置１１０Ｓは、直動駆動原１２４を作動させて、第１可動部材１１０を第１待機位置へと復帰させる。
【００２８】
ここで、本実施形態の遊技機１０では、１対の第１直動部材１３０，１３０がそれぞれ別々の直動駆動源１２４，１２４によって駆動される構成になっているため、１対の第１直動部材１３０，１３０の移動速度がズレると、第１可動部材１１０のスムーズな移動が困難になるという問題が起こり得る。しかしながら、本実施形態の遊技機１０では、第１直動部材１３０，１３０と第１可動装飾部１５０とが、第１回転連結部１４０，１４０にて回転自在に連結されているので、１対の第１直動部材１３０，１３０の移動速度がズレた場合であっても、そのズレ分を、第１可動装飾部１５０が第１直動部材１３０，１３０に対して傾くことによって吸収することが可能となる（図１４参照。なお、図１４には、左側の第１直動部材１３０に対して反時計方向に傾斜した第１可動装飾部１５０が二点鎖線で示されている）。これにより、第１直動部材１３０，１３０をスムーズに移動させることが可能となり、第１可動部材１１０の動作不良を抑制することが可能となる。
【００２９】
なお、本実施形態では、第１可動役物装置１１０Ｓは、第１可動部材１１０が第１演出位置へ向かう途中や第１演出位置に配置されたときに、回転体１５４を回転させる回転演出を実行可能となっている。回転演出の実行中において、回転体１５４は、一方向にのみ回転してもよいし、両方向に回転してもよい。回転演出が終了すると、回転体１５４は、再び、楕円の長軸が左右方向を向くように配置されて、停止状態となる。
【００３０】
ところで、本実施形態の遊技機１０においては、遊技中において第１可動役物装置１１０Ｓによる演出が行われない場合のほか、遊技機１０を組み立てたり搬送したりする場合にも、第１可動部材１１０が、第１待機位置（図３参照）に配置される。しかしながら、例えば、搬送時の衝撃等によって第１可動部材１１０に外力がかかると、第１可動部材１１０が第１待機位置から第１演出位置側へ移動してしまうという問題が起こり得る。このような問題を防ぐべく、遊技機１０は、以下に説明する構成を備えている。
【００３１】
図６に示すように、第１直動部材１３０は、上述した直動駆動ユニット１６０（詳細には、ケース１６０Ｋ。）の１対のカバー壁１６１，１６１の間に挟まれるように配置されている。そして、図１３に示すように、１対のカバー壁１６１，１６１のうち一方のカバー壁１６１Ａと、第１直動部材１３０と、には、互いに突き合わされるように突出した対向突部１６３Ａ，１６３Ｂが設けられている。対向突部１６３Ａ，１６３Ｂは、上下方向から見たときに、先端部同士が互いに重なるように配置されている。以下では、カバー壁１６１Ａ側の対向突部１６３Ａを「固定側対向突部１６３Ａ」と、第１直動部材１３０側の対向突部１６３Ｂを「可動側対向突部１６３Ｂ」と、称して、適宜、区別することとする。
【００３２】
固定側対向突部１６３Ａの先端部は、可動側対向突部１６３Ｂとの対向方向で弾性変形可能となっている。具体的には、上述した一方のカバー壁１６１Ａには、部材取付孔１６４が形成されていて、その部材取付孔１６４に、棒状部材１６５が装着されている。棒状部材１６５は、部材取付孔１６４に取り付けられる固定スリーブ１６６に弾性材料で構成された芯材１６７が圧入固定された構造になっていて、芯材１６７は、固定スリーブ１６６に対して可動側対向突部１６３Ｂ側に突出している。そして、芯材１６７によって、固定側対向突部１６３Ａが構成されている。なお、芯材１６７の先端部は、半球状に形成されている。
【００３３】
可動側対向突部１６３Ｂの先端部のうち上側を向く部分には、上側へ向かうにつれて一方のカバー壁１６１Ａから離れるように傾斜した傾斜面１３４Ｍが形成されている。具体的には、第１直動部材１３０のうち上述した一方のカバー壁１６１Ａとの対向面には、リブ１３４が突出形成されている。リブ１３４の先端部は、台形状に形成されていて、リブ１３４の先端部の上面は、一方のカバー壁１６１Ａへ向かうにつれて下るように傾斜している。そして、リブ１３４によって、可動側対向突部１６３Ｂが構成されている。
【００３４】
図１３（Ａ）に示すように、第１可動部材１１０が第１待機位置（図３参照）に配置されている状態では、可動側対向突部１６３Ｂは、固定側対向突部１６３Ａよりも上側に配置される。ここで、上述したように、固定側対向突部１６３Ａと可動側対向突部１６３Ｂの先端部同士は、上下方向で重なるように配置されているので、可動側対向突部１６３Ｂは、上側から固定側対向突部１６３Ａに当接可能となり、第１可動部材１１０の第１演出位置側（下側）への移動が規制される。
【００３５】
直動駆動原１２４，１２４からの動力を受けて第１可動部材１１０が第１演出位置へと移動すると、可動側対向突部１６３Ｂは、固定側対向突部１６３Ａに上側から当接する。ここで、固定側対向突部１６３Ａの先端部は、固定側対向突部１６３Ａと可動側対向突部１６３Ｂの対向方向で弾性変形可能となっているので、可動側対向突部１６３Ｂは、固定側対向突部１６３Ａを弾性変形させながら固定側対向突部１６３Ａと擦れ違う。これにより、下方へ向かう可動側対向突部１６３Ｂが固定側対向突部１６３Ａを乗り越えて、第１可動部材１１０が第１演出位置に配置される。
【００３６】
直動駆動源１２４，１２４により駆動されて第１可動部材１１０が第１演出位置から第１待機位置へと移動すると、図１３（Ｂ）に示すように、可動側対向突部１６３Ｂは、固定側対向突部１６３Ａに下側から当接する。第１可動部材１１０が第１演出位置へ向かうときと同様に、可動側対向突部１６３Ｂは、固定側対向突部１６３Ａを弾性変形させながら固定側対向突部１６３Ａと擦れ違う。これにより、上方へ向かう可動側対向部材１６３Ｂが固定側対向突部１６３Ａを乗り越えて、第１可動部材１１０が第１待機位置に配置される。ここで、第１待機位置へ向かう第１可動部材１１０は重力に逆らって移動することになるため、可動側対向部材１６３Ｂが固定側対向突部１６３Ａを乗り越えるときに直動駆動源１２４にかかる負荷が過剰に大きくなることが考えられる。しかしながら、本実施形態では、可動側対向突部１６３Ｂの先端部の上側を向く部分に、上側へ向かうにつれて一方のカバー壁１６１Ａ側から離れるように傾斜した傾斜面１３４Ｍが形成されていることで、可動側対向突部１６３Ｂが固定側対向突部１６３Ａを乗り越え易くなり、直動駆動源１２４にかかる負荷が過剰に大きくなることが抑えられる。
【００３７】
また、本実施形態では、上述したように、第１可動部材１１０の上側に、自由落下可能な第２可動部材２１０が備えられている。後に詳述するが、第２可動部材２１０は、通常は、受止部材２７１にて下方から受け止められ、受止部材２７１による受止が解除されたときに落下可能となる。従って、本実施形態によれば、仮に、第２待機位置に保持されるべき第２可動部材２１０の受止が解除された場合であっても、１対の対向突部１６３Ａ，１６３Ｂによって第１可動部材１１０を第１待機位置に保持することで、第２可動部材２１０についても第２待機位置に保持することが可能となる。
【００３８】
第１可動役物装置１１０Ｓに関する説明は以上である。次に、第２可動役物装置２１０Ｓについて説明する。
【００３９】
図３に示すように、第２可動役物装置２１０Ｓの第２可動部材２１０は、上述した１対の直動ガイド１２０，１２０の間に差し渡されている。詳細には、図１０及び図１１に示すように、第２可動部材２１０は、各直動ガイド１２０に沿って直動する第２直動部材２３０と、１対の第２直動部材２３０，２３０の間を連絡する第２可動装飾部２５０と、からなる。第２直動部材２３０は、直動ガイド１２０を構成する１対の案内シャフト１２１，１２１に挿通されて、第１直動部材１３０より上側に配置されている。
【００４０】
第２直動部材２３０は、第１直動部材１３０と同様に、１対の案内シャフト１２１，１２１に架け渡されるように配置され且つ各案内シャフト１２１を挿通させる挿通孔２３１Ａを有したシャフト挿通部２３１と、シャフト挿通部２３１から側方に張り出して上方へ延びたリフト部２３２と、で構成されている。
【００４１】
第１直動部材１３０と同様に、各第２直動部材２３０におけるリフト部２３２の上端部には、第２可動装飾部２５０が回転自在に連結している。具体的には、図１２に示すように、リフト部２３２の上端部には図示しないピン挿通孔が形成されると共に、第２可動装飾部２５０の側部からは図示しない円形突部が突出し、円形突部がブッシュ２４１を介してピン挿通孔に挿通されている。円形突部は、ピン挿通孔に前側から挿通される鍔付き螺子２４２と螺合することにより、ピン挿通孔を挿通した状態に保持されている。そして、図示しないピン挿通孔と、円形突部と、ブッシュ２４１と、鍔付き螺子２４２と、から、第２直動部材２３０に対して第２可動装飾部２５０を、前後方向に延びる回転軸を中心として回転可能に連結する第２回転連結部２４０が構成されている。
【００４２】
図１０及び図１１に示すように、第２可動装飾部２５０は、アーチ状をなす中央装飾部２５１と、中央装飾部２５１の脚部から側方に張り出してリフト部２３２と連結する側方張出部２５２と、で構成されている。中央装飾部２５１は、上側へ膨出する円弧壁２５３の上端縁から庇壁２５４が前方に突出した構造になっている。庇壁２５４は、左右方向に間隔をあけて配置された１対の合体装飾部２５５，２５５と、それら１対の合体装飾部２５５，２５５の間を埋めるように配置された進入抑制部２５６と、を有している。
【００４３】
合体装飾部２５５は、前端部が下方に屈曲した構造になっていて、合体装飾部２５５の前端部には、下方へ向かって突出する下方突部２５５Ｔが形成されている。また、円弧壁２５３からの進入抑制部２５６の突出量は、円弧壁２５３からの合体装飾部２５５の突出量より小さくなっていて、進入抑制部２５６は、下方突部２５５Ｔよりも後側に配置されている。なお、本実施形態では、各合体装飾部２５５は不透明な材料で構成され、進入抑制部２５６は不透明な材料で構成されている。
【００４４】
図１６に示すように、第２可動役物装置２１０Ｓは、第２可動部材２１０のほかに、第２可動部材２１０を第２待機位置（図４参照）から第２演出位置（図５参照）へと自由落下させるための受止装置２７０を備えている。以下、受止装置２７０の詳細について説明する。
【００４５】
受止装置２７０は、第２可動部材２１０を下方から受け止め可能な受止部材２７１と、受止部材２７１を駆動するための受止駆動源２７４と、を備えている。
【００４６】
受止部材２７１は、第２待機位置に配置された第２可動部材２１０の後側で前後方向に移動可能に構成されていて、可動ストロークの前端位置で第２可動部材２１０を下方から受け止め可能な受止位置（図１６（Ａ）参照）に配置され、可動ストロークの後端位置で第２可動部材２１０の下方への落下を許容する受止解除位置（図１６（Ｂ）参照）に配置される。詳細には、図１６に示すように、受止部材２７１は、機構枠１７の上辺部１７Ｊに取り付けられ（図５参照）、上辺部１７Ｊに形成された長孔２７６によって前後方向に直動可能に支持されている。そして、受止部材２７１は、受止位置に配置されたときに、当該上辺部１７Ｊに形成された前面開口２７７から突出し、受止解除位置に配置されたときに、前面開口２７７の奥側に退避する。なお、受止部材２７１の前面は、図１８及び図１９に示すように、後下がりに傾斜した（言い換えれば、受止解除位置（図１８（Ｂ）参照）側へ向かうにつれて下るように傾斜した）先端傾斜面２７１Ｋとなっている。
【００４７】
図１６に示すように、受止駆動源２７４は、ソレノイドで構成されていて、ボックス状の本体部２７４Ｈに対して左右方向に移動可能な可動部２７４Ｋを備えている。本体部２７４Ｈと可動部２７４Ｋとの間には、圧縮コイルバネ２７３が介装されている。受止駆動源２７４は、通常は、オフ状態となっていて、この状態で、可動部２７４Ｋは、左側に付勢されている（図１６（Ａ）参照）。そして、受止駆動源２７４がオン状態になると、圧縮コイルバネ２７３の付勢力に抗して可動部２７４Ｋが右側へ移動するようになっている（図１６（Ｂ）参照）。
【００４８】
受止駆動源２７４からの動力は、回動レバー２７２によって受止部材２７１へと伝達される。図１６（Ａ）及び図１６（Ｂ）に示すように、回動レバー２７２は、上下方向に延びる回動軸２７２Ｊを中心に回動可能に構成され、受止駆動源２７４の可動部２７４Ｋと係合する第１係合片２７２Ａと、受止部材２７１と係合する第２係合片２７２Ｂと、を備えている。受止駆動源２７４がオフ状態のとき、第１係合片２７２Ａは、回動軸２７２Ｊに対して左斜め後ろに延び、第２係合片２７２Ｂは、回動軸２７２Ｊに対して左斜め前に延びている（図１６（Ａ）参照）。そして、受止駆動源２７４がオン状態になると、可動部２７４Ｋの移動に伴って回動レバー２７２が上方から見て時計方向に回動し、受止部材２７１が後側へ移動する（図１６（Ｂ）参照）。
【００４９】
なお、本実施形態では、受止部材２７１は、第２可動装飾部２５０を下方から受け止め可能に構成されている。具体的には、図１１に示すように、第２可動装飾部２５０の円弧壁２５３の後部には、上下方向に延びた受容溝２５７が形成されている。受容溝２５７は、下端で開放すると共に、端部壁２５７Ｈによって上端が閉塞されている。第２可動部材２１０が第２待機位置に配置された状態で受止部材２７１が受止位置に配置されると、受止部材２７１の前端部が受容溝２５７内に突入する。このとき、受止部材２７１は、端部壁２５７Ｈに下方から当接して、第２可動装飾部２５０を受け止める。
【００５０】
次に、第２可動役物装置２１０Ｓによる第２可動部材２１０の落下について説明する。第２可動役物装置２１０Ｓは、通常は、第２可動部材２１０を第２待機位置（図４参照）に配置する。このとき、受止駆動源２７４はオフ状態となって、受止部材２７１は受止位置（図１８（Ａ）参照）に配置されている。そして、受止位置の受止部材２７１に第２可動装飾部２５０が下方から受け止められることで、第２可動部材２１０の落下が規制されている。また、この状態では、図２に示すように、第２可動部材２１０の全体は、表示装飾枠２３の裏側に配置されて遊技者に視認困難となっている。なお、本実施形態では、表示装飾枠２３の上辺部によって、第２待機位置の第２可動部材２１０を前側から覆う前側カバー２２０が形成されている。
【００５１】
第２可動役物装置２１０Ｓでは、上述した第１可動部材１１０が第１演出位置に配置されている状態で、所定の第２演出条件が成立すると、受止駆動源２７４がオン状態となり、受止部材２７１が後側へ移動して受止解除位置（図１８（Ｂ）参照）に配置される。すると、受止部材２７１による第２可動装飾部２５０の受け止めが解除され、第２可動部材２１０が直動ガイド１２０，１２０に沿って自由落下し、図５に示した第２演出位置に配置される。なお、後に詳述するが、第２演出位置の第２可動部材２１０は、第１演出位置から第１待機位置へ戻る第１可動部材１１０に押し上げられて、第２待機位置へと戻る。
【００５２】
ここで、本実施形態の遊技機１０では、第２可動部材２１０が自由落下するため、第２直動部材２３０，２３０の落下スピードを同じにすることが困難で、第２可動部材２１０が左右に傾き易くなるという問題が生じ得る。しかしながら、本実施形態の遊技機１０では、第２直動部材２３０，２３０と第２可動装飾部２５０とが、第２回転連結部２４０，２４０にて回転自在に連結されているので、第２直動部材２３０，２３０の移動速度がズレた場合であっても、そのズレ分を、第２可動装飾部２５０が第２直動部材２３０，２３０に対して傾くことによって吸収することが可能となる（図１４参照。なお、図１４には、左側の第２直動部材２３０に対して反時計方向に傾斜した第２可動装飾部２５０が二点鎖線で示されている）。これにより、第２直動部材２３０，２３０をスムーズに移動させることが可能となり、第２可動部材２１０の動作不良を抑制することが可能となる。
【００５３】
ところで、例えば、振動等の影響により、第２可動部材２１０（第２可動装飾部２５０）が前側にずれて、受止位置の受止部材２７１が受止可能な範囲から第２可動部材２１０が外れると、本来は第２待機位置に保持されるべき第２可動部材２１０が落下する（別の見方をすれば、第２演出条件が成立していないにも拘わらず、第２可動部材２１０が第２演出位置に配置される）という問題が起こり得る。このような問題を抑制するために、本実施形態では、図１７に示すように、表示装飾枠２３における前側カバー２２０の後部に、第２可動部材２１０の前側への移動を規制する移動規制部２２５が形成されている。
【００５４】
具体的には、図１７に示すように、前側カバー２２０は、カバー本体２２１と、カバー本体２２１の上側から覆う天井壁２２２と、天井壁２２２の後端部から垂下してカバー本体２２１と対向する対向壁２２６と、を有している。そして、天井壁２２２が遊技盤１１の表示開口１１Ｈの内側に配置されると共に、天井壁２２２から上方に張り出した突片２２２Ｔが遊技盤１１の前面に重ねられている。また、対向壁２２６の下端部からは、１対の下方突部２２３，２２３が垂下している。図１８（Ａ）に示すように、１対の下方突部２２３，２２３は、第２可動部材２１０が第２待機位置に配置された状態で、第２可動装飾部２５０（詳細には、中央装飾部２５１における庇壁２５４の進入抑制部２５６）の上端部の前方に配置されて、第２可動装飾部２５０に前方から当接可能となっている。また、下方突部２２３の下端面は、前下がりに傾斜した（換言すれば、第２可動部材２１０側に近づくにつれて上側へと向かう）誘導傾斜面２２４Ｋになっていて、第２可動部材２１０が第２演出位置から第２待機位置へと復帰するときに、第２可動部材２１０がガタつき等の影響により前側にずれて下方から移動規制部２２５と衝突しても、誘導傾斜面２２４Ｋによって第２可動部材２１０を第２待機位置へと案内することが可能となっている。そして、１対の下方突部２２３，２２３によって、上述の移動規制部２２５が形成されている。
【００５５】
詳細には、図１８及び図１９に示すように、下方突部２２３は、対向壁２２６から前下がりに傾斜した傾斜部２２７Ａと傾斜部２２７Ａから下方に延びた鉛直部２２７Ｂとからなる屈曲壁２２７と、屈曲壁２２７から後方に突出したリブ２２４と、から構成されている。リブ２２４の後面は、対向壁２２６の後面と面一になっていると共に、遊技盤１１の前面と略面一に配置されている。そして、リブ２２４の下端面が、上述した誘導傾斜面２２４Ｋになっている。
【００５６】
なお、本実施形態では、図１８及び図１９に示すように、第２可動装飾部２５０の円弧壁２５３には、受容溝２５７の上端部から前方に延びて円弧壁２５３の前面で開口する連通孔２５８が形成されている。これにより、第２可動部材２１０が後側にずれたときに、受止位置の受止部材２７１と干渉することが抑えられている。
【００５７】
第２可動役物装置２１０Ｓによる第２可動部材２１０の落下に関する説明は以上である。次に、第１可動役物装置１１０Ｓと第２可動役物装置２１０Ｓによって行われる合体演出について説明する。
【００５８】
合体演出は、第１演出条件が成立した後、第１演出終了条件が成立する前に、第２演出条件が成立したときに発生する。第１演出条件が成立すると、上述したように、第１可動役物装置１１０Ｓが第１可動部材１１０を第１演出位置に配置する（図３参照）。なお、第１可動部材１１０が第１演出位置へ向かう途中や第１演出位置に配置された後に、回転体１５４による回転演出が行われてもよい。
【００５９】
次いで、第２演出条件が成立すると、第２可動役物装置２１０Ｓは、受止部材２７１を受止位置から受止解除位置に配置し、第２可動部材２１０を第２演出位置へと落下させる。このとき、第１可動部材１１０においては、原則として、回転体１５４による回転演出が行われておらず、回転体１５４は、停止状態となっている。そして、第２可動部材２１０が第２演出位置に配置されると、第２可動部材２１０が第１演出位置の第１可動部材１１０と合体する。
【００６０】
詳細には、第２可動部材２１０が第１可動部材１１０と合体すると、第１可動部材１１０の回転体１５４の上に１対の合体装飾部２５５，２５５が重ねられ、合体装飾部２５５の下方突部２５５Ｔが回転体１５４の上縁部を前側から覆う。ここで、本実施形態では、回転体１５４に、野球のボールをモチーフとした装飾が施され、１対の合体装飾部２５５に、手の指をモチーフとした装飾が施されている。これにより、第２可動部材２１０が落下して、１対の合体装飾部２５５，２５５が回転体１５４と合体すると、指がボールを掴む動作を演出することが可能となっている。
【００６１】
以上が、第１可動役物装置１１０Ｓ及び第２可動役物装置２１０Ｓによる合体演出に関する説明である。このように、合体演出では、第１可動部材１１０が第１演出位置に配置された後に、第２可動部材２１０が落下して第１可動部材１１０と合体するので、第１可動部材１１０のみで演出が行われる場合と比較して、可動部材による演出の趣向性を向上させることが可能となる。しかも、第２可動部材２１０は、自由落下可能に構成されているので、第２可動部材２１０を素早く落下させて、遊技者にインパクトを与えることが可能となる。また、本実施形態では、第２待機位置の第２可動部材２１０が前側カバー２２０の後側に隠れているので、通常は、視認困難な第２可動部材２１０が出現して第１可動部材１１０と合体することとなり、遊技者に意外性を付与することが可能となる。
【００６２】
ところで、上述したように、第２可動部材２１０が落下するときには、第１可動部材１１０の回転体１５４は停止状態になっていることが原則であるが、ときに、回転体１５４の回転中に第２可動部材２１０が落下するという事態が生じ得る。このような事態が生じると、１対の合体装飾部２５５，２５５の間に回転体１５４が挟まってしまい、回転体１５４が動作不良を起こすという不具合が起こり得る。
【００６３】
しかしながら、本実施形態では、図１５に示すように、１対の合体装飾部２５５，２５５同士の間に設けられた進入抑制部２５６によって、回転状態の回転体１５４が１対の合体装飾部２５５，２５５同士の間に進入することを抑制される。これにより、回転体１５４が１対の合体装飾部２５５，２５５同士の間に挟まることが抑えられ、１対の合体装飾部２５５，２５５が合体する際の回転体１５４の動作不良を抑制することが可能となる。しかも、進入抑制部２５６は、回転体１５４の回転領域Ｒ２の円よりも曲率の小さい円弧状をなしているので、回転状態の回転体１５４が進入抑制部２５６と衝突したときに、進入抑制部２５６が回転体１５４の回転を妨げることが抑制される。
【００６４】
また、図５に示すように、進入抑制部２５６は、回転体１５４の楕円の長軸方向の中央部の外周部に沿った円弧状に形成されているので、回転体１５４と１対の合体装飾部２５５，２５５が合体したときに、進入抑制部２５６が回転体１５４の外周部に沿って配置することが可能となり、進入抑制部２５６を目立たなくして回転体１５４と１対の合体装飾部２５５，２５５との一体感を増加させることが可能となる。さらに、１対の合体装飾部２５５，２５５は、不透明な材料で構成されているのに対し、進入抑制部２５６は、透明な材料で構成されているので、進入抑制部２５６を目立たなくして回転体１５４と１対の合体装飾部２５５，２５５との一体感を一層増加させることが可能となる。
【００６５】
次に、合体後の第１可動部材１１０と第２可動部材２１０の復帰動作について説明する。本実施形態では、第２可動部材２１０が第２演出位置に配置されると、受止駆動源２７４がオフ状態となり、受止部材２７１が受止位置に戻る。この状態で、上述した第１演出終了条件が成立すると、第２可動部材２１０は、第１可動部材１１０に押し上げられて第２待機位置へと移動する。図１９（Ａ）に示すように、第２可動部材２１０が受止部材２７１と擦れ違う際、受止部材２７１は、第２可動部材２１０によって後側に押される。詳細には、受止部材２７１は、第２可動装飾部２５０のうち受容溝２５７より上側に配置される部分（具体的には、端部壁２５７Ｈ）によって後側に押される。ここで、本実施形態では、受止部材２７１の前面には、後側へ下るように傾斜した先端傾斜面２７１Ｋが形成されているので、受止部材２７１に下方から当接する第２可動部材２１０（第２可動装飾部２５０）が、受止部材２７１を後側へ移動させ易くなっている。
【００６６】
図１９（Ｂ）に示すように、第２可動部材２１０が第２待機位置に配置されると、受止部材２７１は、圧縮コイルバネ２７３からの付勢力を受けて前側へ移動し、第２可動装飾部２５０の受容溝２５７内に突入し、第２可動装飾部２５０を下方から受け止める。このように、本実施形態では、第２可動部材２１０が第２待機位置に配置されたときには、受止駆動源２７４をわざわざ作動させることなく、受止部材２７１を受止位置に配置させることが可能となっている。
【００６７】
遊技機１０の構成に関する説明は以上である。
【００６８】
次に、遊技機１０の作用効果について説明する。本実施形態の遊技機１０では、第１演出条件が成立すると、第１可動役物装置１１０Ｓは、直動駆動源１２４，１２４を駆動して、第１可動部材１１０を第１待機位置から第１演出位置へと移動させる。そして、第１演出終了条件が成立すると、第１可動役物装置１１０Ｓは、直動駆動源１２４，１２４を駆動して、第１可動部材１１０を第１待機位置へと復帰させる。
【００６９】
ここで、第１可動部材１１０の上下動において、１対の第１直動部材１３０，１３０の移動速度がズレると、第１可動部材１１０のスムーズな移動が困難にとなり、第１可動装飾部１５０の動きが止まるといった動作不良が起こり得る。これに対し、本実施形態の遊技機１０では、第１直動部材１３０，１３０と第１可動装飾部１５０とが、第１回転連結部１４０，１４０にて回転自在に連結されているので、１対の第１直動部材１３０，１３０の移動速度がズレた場合であっても、そのズレ分を、第１可動装飾部１５０が第１直動部材１３０に対して傾くことによって吸収することが可能となる。これにより、第１直動部材１３０，１３０をスムーズに移動させることが可能となり、第１可動装飾部１５０の動作不良を抑制することが可能となる。
【００７０】
また、本実施形態の遊技機１０では、第１演出終了条件が成立する前に第２演出条件が成立すると、第２可動役物装置２１０Ｓが、受止駆動源２７４を駆動して、第２可動部材２１０を第２待機位置から第２演出位置へと落下させる。
【００７１】
ここで、自由落下可能に構成された第２可動部材２１０は、直動駆動源１２４，１２４にて第１直動部材１３０，１３０の移動速度を制御している第１可動部材１１０に比べて、第２直動部材２３０，２３０同士の移動速度（落下速度）を同じにすることが困難であるため、第２可動装飾部２５０が左右に傾き易くなり、第２可動装飾部２５０の動きが止まるといった動作不良が起こり得る。これに対し、本実施形態の遊技機１０では、第２可動部材２１０においても、第２直動部材２３０，２３０と第２可動装飾部２５０とが、第２回転連結部２４０，２４０にて回転自在に連結されているので、第２可動装飾部２５０が第２直動部材２３０に対して傾くことによって吸収することが可能となり、第２直動部材２３０，２３０をスムーズに移動させて、第２可動装飾部２５０の動作不良を抑制することが可能となる。
【００７２】
また、本実施形態では、第２直動部材２３０は、第１直動部材１３０よりも上側に配置されるので、第１直動部材１３０を駆動することで、落下後の第２直動部材２３０を、落下前の位置へ復元することが可能となる。
【００７３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７４】
（１）上記実施形態では、第１可動部材１１０及び第２可動部材２１０が上下方向に移動する構成になっていたが、遊技盤１１の前面と平行な面内であれば、例えば、左右方向に移動する構成であってもよい。この場合、第２可動部材２１０は、第１可動部材１１０を駆動する直動駆動源１２４とは別の直動駆動源により駆動される構成であってもよいし、バネ等の付勢手段によって第２演出位置側へ付勢されると共に、第２演出位置側から受止部材に受け止められて第２待機位置に保持され、受止部材２７１の受止が解除されたときに、第２演出位置へと移動する構成であってもよい。なお、上記実施形態においては、重力が第２可動部材２１０を第２演出位置へと付勢する付勢手段となっていると言える。
【００７５】
（２）上記実施形態では、直動駆動源１２４，１２４により駆動される第１可動部材１１０と、自由落下可能な第２可動部材２１０との両方に回動連結部１４０，２４０が設けられていたが、第２可動部材２１０にのみ回動連結部２４０が設けられた構成であってもよい。
【００７６】
（３）上記実施形態では、直動ガイド１２０として、１対の案内シャフト１２１，１２１を例示したが、例えば、ガイド溝を有した棒状部材であってもよい。この場合、第１直動部材１３０及び第２直動部材２３０は、ガイド溝と係合するスライダで構成される。なお、ガイド溝は、１条であっても複数状であってもよい。
【００７７】
（４）上記実施形態では、１対の第１直動部材１３０，１３０を、それぞれ別々の直動駆動源１２４，１２４にて駆動させる構成になっていたが、１対の第１直動部材１３０，１３０を、共通の直動駆動源にて駆動させる構成であってもよい。このような構成であっても、共通の直動駆動源から１対の第１直動部材１３０，１３０への動力伝達に時間差が生じた場合には、第１可動装飾部１５０の傾きによって１対の直動部材１３０，１３０間の移動速度のズレを吸収することが可能となる。
【００７８】
（５）上記実施形態では、第１可動部材１１０及び第２可動部材２１０が第１待機位置及び第２待機位置から下方に移動して遊技に関する演出を行う演出態様になっていたが、例えば、第１可動部材１１０及び第２可動部材２１０が第１待機位置及び第２待機位置から上方に移動して遊技に関する演出を行う演出態様であってもよい。具体的には、第１可動部材１１０を表示装飾枠２３の下辺部に配置すると共に、第２可動部材２１０を第１可動部材１１０の下側に配置する。また、第２可動部材２１０を上方に移動させる手段として、例えば、圧縮コイルバネ又は引張コイルバネを設けて、第２可動部材２１０を上側に付勢し、圧縮コイルバネ又は引張コイルバネの付勢力によって第２可動部材２１０を第２演出位置へと移動させる。
なお、上記実施形態には、以下の特徴［１］〜［３］が含まれている。
［１］
遊技盤の前面に沿って平行に延びる１対の直動ガイドと、
前記１対の直動ガイドのそれぞれに沿って直動する１対の直動部材と、
前記１対の直動部材の間に差し渡されて、前記１対の直動ガイドと平行に移動可能な可動装飾部と、
前記可動装飾部と各前記直動部材との間に設けられ、前記直動部材に対して前記可動装飾部を、前後方向に延びる回転軸を中心として回動可能に連結する回転連結部と、を備えた遊技機。
［２］
前記１対の直動ガイドは、上下方向に延在し、
前記可動装飾部を下方から受け止める受止位置と、前記可動装飾部の受け止めを解除する受止解除位置と、の間を移動する受止部材を有し、
前記可動装飾部は、前記受止部材が前記受止解除位置に配置されたときに、下方へ落下するように構成された［１］に記載の遊技機。
［１］の遊技機によれば、可動装飾部と各直動部材との間に設けられた回転連結部によって、可動装飾部が、直動部材に対して前後方向に延びる回転軸を中心に回転可能となっているので、１対の直動部材の移動速度がズレた場合であっても、そのズレ分を、可動装飾部が直動部材に対して傾くことによって吸収することが可能となる。これにより、直動部材をスムーズに移動させることが可能となり、可動装飾部の動作不良を抑制することが可能となる。
特に、［２］の遊技機のように、受止部材が受止位置から受止解除位置に配置されたときに、受止部材にて下方から受け止められていた可動装飾部が下方へ落下する構成の場合には、可動装飾部の両側部の落下スピードを同じにすることが困難であるため、可動装飾部が左右に傾き易くなり、［１］の構成の恩恵を多く享受することが可能となる。
［３］
各前記直動ガイドに沿って直動する前記直動部材には、駆動源により駆動される第１直動部材と、前記第１直動部材より上側に配置されて自由落下可能な第２直動部材と、が設けられると共に、
前記可動装飾部には、１対の前記第１直動部材に差し渡される第１可動装飾部と、１対の前記第２直動部材に差し渡される第２可動装飾部と、が設けられ、
前記受止部材は、前記第２可動装飾部を下方から受け止め可能に構成された［２］に記載の遊技機。
［３］の遊技機によれば、駆動源により駆動される第１直動部材と、自由落下可能な第２直動部材の両方をスムーズに移動させることが可能となり、第１可動装飾部と第２可動装飾部の両方について動作不良を抑制することが可能となる。また、第２直動部材は、第１直動部材よりも上側に配置されるので、第１直動部材を駆動することで、落下後の第２直動部材を、落下前の位置へ復元することが可能となる。
【符号の説明】
【００７９】
１０    遊技機
１１    遊技盤
１１０    第１可動部材
１２０    直動ガイド
１２４    直動駆動原（駆動源）
１３０    第１直動部材
１４０    第１回転連結部（回転連結部）
１５０    第１可動装飾部
２１０    第２可動部材
２３０    第２直動部材
２４０    第２回転連結部
２５０    第２可動装飾部
２７１    受止部材
【図１】
0006660536.tif 000002
【図２】
0006660536.tif 000003
【図３】
0006660536.tif 000004
【図４】
0006660536.tif 000005
【図５】
0006660536.tif 000006
【図６】
0006660536.tif 000007
【図７】
0006660536.tif 000008
【図８】
0006660536.tif 000009
【図９】
0006660536.tif 000010
【図１０】
0006660536.tif 000011
【図１１】
0006660536.tif 000012
【図１２】
0006660536.tif 000013
【図１３】
0006660536.tif 000014
【図１４】
0006660536.tif 000015
【図１５】
0006660536.tif 000016
【図１６】
0006660536.tif 000017
【図１７】
0006660536.tif 000018
【図１８】
0006660536.tif 000019
【図１９】
0006660536.tif 000020